(57)【要約】【課題】主走査方向に移動する記録ヘッドから記録媒体へ液体を噴射してライン画像を形成する主走査を複数回行って、副走査方向に隣接するライン画像を互いに異なる主走査により形成する画像記録技術において、ライン画像間における隙間の発生を抑制する。【解決手段】記録媒体の表面を改質する表面改質処理を実行する表面改質機と、記録媒体に形成されたマークの副走査方向への変位を検出する検出部と、画像記録処理の途中において、以後に形成予定の後続ライン画像の形成に先立って表面改質処理を実行するか否かを、検出部が検出したマークの変位に基づいて判断する表面改質制御部とを備え、表面改質制御部が表面改質処理を実行すると判断した場合は、表面改質機は、後続ライン画像の形成に先立って表面改質処理を実行し、画像記録制御部は、表面改質処理が実行された記録媒体に対して後続ライン画像を形成する。【選択図】図４
2013006308.tif 000002
【特許請求の範囲】
【請求項１】
記録媒体を支持する支持部材と、
主走査方向に移動しつつ前記支持部材に支持された前記記録媒体に液体を噴射して前記主走査方向に延びる１ライン分のライン画像を形成する主走査と、副走査方向に移動する副走査とを実行可能な記録ヘッドと、
前記主走査と前記副走査とを前記記録ヘッドに交互に実行させることで、複数の前記主走査を実行して、前記副走査方向に隣接する前記ライン画像を互いに異なる前記主走査により形成する画像記録処理を実行する画像記録制御部と、
前記記録媒体の表面を改質する表面改質処理を実行する表面改質機と、
前記記録媒体に形成されたマークの前記副走査方向への変位を検出する検出部と、
前記画像記録処理の途中において、以後に形成予定の後続ライン画像の形成に先立って前記表面改質処理を実行するか否かを、前記検出部が検出した前記マークの変位に基づいて判断する表面改質制御部と
を備え、
前記表面改質制御部が前記表面改質処理を実行すると判断した場合は、前記表面改質機は、前記後続ライン画像の形成に先立って前記表面改質処理を実行し、前記画像記録制御部は、前記表面改質処理が実行された前記記録媒体に対して前記後続ライン画像を形成することを特徴とする画像記録装置。
【請求項２】
前記表面改質機は、前記記録媒体の前記副走査方向に異なる複数の領域毎に前記表面改質処理を実行可能であり、
前記表面改質制御部は、前記記録媒体の前記領域毎に前記表面改質処理を実行するか否かを判断するとともに、前記表面改質処理を実行すると判断した前記領域に対して前記表面改質機に前記表面改質処理を実行させる請求項１に記載の画像記録装置。
【請求項３】
前記画像記録制御部は、前記画像記録処理で実行する副走査としては、前記副走査方向の一方側へ前記記録ヘッドが移動する前記副走査のみを実行する請求項１または２に記載の画像記録装置であって、
前記表面改質機は、前記副走査方向において前記記録媒体の中心より前記一方側と反対側の半分に対してのみ前記表面改質処理を実行する画像記録装置。
【請求項４】
前記表面改質制御部は、前記表面改質機が前記表面改質処理のために前記記録媒体に与えるエネルギーを、前記検出部が検出した前記マークの変位に基づいて調整するとともに、前記表面改質機は、前記表面改質制御部により調整された前記エネルギーを前記記録媒体に与えて前記表面改質処理を実行する請求項１ないし３のいずれか一項に記載の画像記録装置。
【請求項５】
前記調整部は、前記表面改質処理で前記記録媒体に与えるエネルギーを前記副走査方向に沿って連続的に調整可能である請求項４に記載の画像記録装置。
【請求項６】
前記主走査方向および前記副走査方向に移動自在であるとともに前記記録ヘッドを搭載するキャリッジをさらに備え、前記記録ヘッドは前記キャリッジと一体的に移動することで、前記主走査における前記主走査方向への移動および前記副走査における前記副走査方向への移動を実行する請求項１ないし５のいずれか一項に記載の画像記録装置であって、
前記表面改質機は前記キャリッジに搭載されており、前記主走査の実行の際に前記キャリッジと一体的に前記主走査方向に移動することで、前記主走査方向における前記後続ライン画像が形成される範囲に渡って前記表面改質処理を実行する画像記録装置。
【請求項７】
前記記録媒体は紙系の媒体である請求項１ないし６のいずれか一項に記載の画像記録装置。
【請求項８】
前記記録媒体はフィルム系の媒体である請求項１ないし６のいずれか一項に記載の画像記録装置。
【請求項９】
主走査方向に移動しつつ前記支持部材に支持された前記記録媒体に液体を噴射して前記主走査方向に延びる１ライン分のライン画像を形成する主走査と、副走査方向に移動する副走査とを実行可能な記録ヘッドに、前記主走査と前記副走査とを交互に実行させることで、複数の前記主走査を実行して、前記副走査方向に隣接する前記ライン画像を互いに異なる前記主走査により形成する画像記録処理を実行する画像記録方法において、
前記記録媒体の表面を改質する表面改質処理を実行する表面改質工程と、
前記記録媒体に形成されたマークの前記副走査方向への変位を検出する検出工程と、
前記画像記録処理の途中において、以後に形成予定の後続ライン画像の形成に先立って前記表面改質処理を実行するか否かを、前記検出部が検出した前記マークの変位に基づいて判断する判断工程と
を備え、
前記判断工程で前記表面改質処理を実行すると判断した場合は、前記表面改質工程において前記後続ライン画像の形成に先立って前記表面改質処理が実行されるとともに、前記表面改質処理が実行された前記記録媒体に対して前記後続ライン画像が実行されることを特徴とする画像記録方法。
【発明の詳細な説明】
【技術分野】
【０００１】
この発明は、記録媒体に液体を噴射して画像を記録する技術に関し、特に、主走査方向に移動する記録ヘッドから記録媒体へ液体を噴射してライン画像を形成する主走査を複数回行うことで、記録媒体に画像を記録する画像記録技術に関する。
【背景技術】
【０００２】
特許文献１には、プラテン上に支持された記録媒体に対して、記録ヘッドが備えるノズルから液体であるインクを噴射して、記録媒体に画像を印刷する画像記録装置が記載されている。この画像記録装置の記録ヘッドは、記録媒体の幅方向（副走査方向）に並ぶ複数のノズルを備えるとともに、副走査方向に直交する主走査方向へ移動自在に構成されている。そして、記録ヘッドは、主走査方向に移動しながら各ノズルから記録媒体へ向けて液体を噴射する主走査を実行する。この主走査によって、記録媒体では、１つのノズルにより形成された主走査方向に延びる１ライン分の画像（ライン画像）が副走査方向に複数並ぶ。
【先行技術文献】
【特許文献】
【０００３】
【特許文献１】特開２００９−２９２１２９号公報
【発明の概要】
【発明が解決しようとする課題】
【０００４】
ところで、上記のような画像記録装置では、複数回の主走査を実行することで、より高解像度な画像を得ることができる。具体的には、上記の主走査と、副走査方向へ記録ヘッドを移動させる副走査とを交互に実行して、複数回の主走査を実行すれば良い。つまり、主走査が１回完了すると、副走査が実行されて、記録ヘッドが副走査方向に移動する。また、この副走査に続いて、主走査が再び実行されて、記録ヘッドが主走査方向に移動する。これにより、先程の主走査により既に形成された複数のライン画像の間に、新たな主走査によるライン画像が形成される。この要領で主走査と副走査とを交互に実行して、複数の主走査を実行することで、先に形成されたライン画像の間に新たにライン画像を形成して、より高解像度な画像を印刷することができる。
【０００５】
しかしながら、このようにして印刷を行った場合、水分や温度によって記録媒体が副走査方向に伸びてしまうことに起因して、次のような問題が発生するおそれがあった。つまり、上記のようにして複数の主走査を実行して、先に形成された複数のライン画像の間に新たなライン画像を形成する構成では、異なるタイミングで実行された主走査により形成されたライン画像が副走査方向に互いに隣接する。そのため、隣接するライン画像に注目したとき、一方のライン画像を形成した主走査から、他方のライン画像を形成する主走査までの期間に記録媒体が副走査方向に伸びて、これら一方と他方のライン画像の間に液体（インク）の抜けた隙間が発生してしまうおそれがあった。
【０００６】
この発明は上記課題に鑑みてなされたものであり、主走査方向に移動する記録ヘッドから記録媒体へ液体を噴射してライン画像を形成する主走査を複数回行って、副走査方向に隣接するライン画像を互いに異なる主走査により形成する画像記録技術において、ライン画像間における隙間の発生を抑制する技術の提供を目的とする。
【課題を解決するための手段】
【０００７】
この発明にかかる画像記録装置は、上記目的を達成するために、記録媒体を支持する支持部材と、主走査方向に移動しつつ支持部材に支持された記録媒体に液体を噴射して主走査方向に延びる１ライン分のライン画像を形成する主走査と、副走査方向に移動する副走査とを実行可能な記録ヘッドと、主走査と副走査とを記録ヘッドに交互に実行させることで、複数の主走査を実行して、副走査方向に隣接するライン画像を互いに異なる主走査により形成する画像記録処理を実行する画像記録制御部と、記録媒体の表面を改質する表面改質処理を実行する表面改質機と、記録媒体に形成されたマークの副走査方向への変位を検出する検出部と、画像記録処理の途中において、以後に形成予定の後続ライン画像の形成に先立って表面改質処理を実行するか否かを、検出部が検出したマークの変位に基づいて判断する表面改質制御部とを備え、表面改質制御部が表面改質処理を実行すると判断した場合は、表面改質機は、後続ライン画像の形成に先立って表面改質処理を実行し、画像記録制御部は、表面改質処理が実行された記録媒体に対して後続ライン画像を形成することを特徴としている。
【０００８】
この発明にかかる画像記録方法は、上記目的を達成するために、主走査方向に移動しつつ支持部材に支持された記録媒体に液体を噴射して主走査方向に延びる１ライン分のライン画像を形成する主走査と、副走査方向に移動する副走査とを実行可能な記録ヘッドに、主走査と副走査とを交互に実行させることで、複数の主走査を実行して、副走査方向に隣接するライン画像を互いに異なる主走査により形成する画像記録処理を実行する画像記録方法において、記録媒体の表面を改質する表面改質処理を実行する表面改質工程と、記録媒体に形成されたマークの副走査方向への変位を検出する検出工程と、画像記録処理の途中において、以後に形成予定の後続ライン画像の形成に先立って表面改質処理を実行するか否かを、検出部が検出したマークの変位に基づいて判断する判断工程とを備え、判断工程で表面改質処理を実行すると判断した場合は、表面改質工程において後続ライン画像の形成に先立って表面改質処理が実行されるとともに、表面改質処理が実行された記録媒体に対して後続ライン画像が実行されることを特徴としている。
【０００９】
このように構成された発明（画像記録装置および画像記録方法）では、主走査方向に記録ヘッドを移動させつつ記録ヘッドから液体を噴射して主走査方向に伸びる１ライン分のライン画像を形成する主走査と、副走査方向に記録ヘッドを移動させる副走査とが交互に実行される。このようにして複数の主走査が実行されて、副走査方向に隣接するライン画像が互いに異なる主走査により形成される（画像記録処理）。そのため、異なるタイミングで実行された主走査により形成されたライン画像が、副走査方向に隣接して並ぶこととなる。そして、このような構成では、記録媒体が副走査方向へ伸びた場合に、上述のような隙間が発生するおそれがあった。
【００１０】
これに対して、この発明は、記録媒体の副走査方向への伸びを検出するために、記録媒体に形成されたマークの変位を検出するといった構成を備えており、このマークの変位の検出結果に基づいて記録媒体への表面改質処理を適宜実行する。具体的には、画像記録処理の途中において、マークの変位の検出結果から、以後に形成予定のライン画像（後続ライン画像）の形成に先立って記録媒体への表面改質処理を実行するか否かが判断される。これにより、記録媒体が副走査方向へ伸びた場合には、必要に応じて表面改質処理を実行することが可能となる。その結果、ライン画像の幅を増大させて、上述の隙間の発生を抑制することが可能となる。
【００１１】
なお、上述の隙間は、記録媒体の全体に渡って一様に発生するとは限らず、部分的に発生する場合もある。したがって、表面改質機は、記録媒体の副走査方向に異なる複数の領域毎に表面改質処理を実行可能であり、表面改質制御部は、記録媒体の領域毎に表面改質処理を実行するか否かを判断するとともに、表面改質処理を実行すると判断した領域に対して表面改質機に表面改質処理を実行させるように画像記録装置を構成しても良い。これによって、表面改質処理を効率的に実行することができる。
【００１２】
特に、画像記録制御部が、画像記録処理で実行する副走査としては、副走査方向の一方側へ記録ヘッドが移動する副走査のみを実行する画像記録装置においては、上述の隙間は、副走査方向において記録媒体の中心より一方側と反対の他方側で顕著になる（この理由は後述する）。そこで、表面改質機は、副走査方向において記録媒体の中心より当該一方側と反対側の半分に対してのみ表面改質処理を実行するように画像記録装置を構成しても良い。
【００１３】
また、表面改質制御部は、表面改質機が表面改質処理のために記録媒体に与えるエネルギーを、検出部が検出したマークの変位に基づいて調整するとともに、表面改質機は、表面改質制御部により調整されたエネルギーを記録媒体に与えて表面改質処理を実行するように画像記録装置を構成しても良い。このように、マークの変位の検出結果に基づいて、表面改質処理のエネルギーを調整することで、ライン画像の幅を調整することが可能となり、上述の隙間の発生をより効果的に抑制することができる。
【００１４】
この際、調整部は、表面改質処理で記録媒体に与えるエネルギーを副走査方向に沿って連続的に調整可能であるように構成しても良い。このような構成では、記録媒体に形成したマークの副走査方向の変位に基づいて、表面改質処理でのエネルギーを副走査方向に沿って連続的に調整することができ、ライン画像の副走査方向への幅を高精度に制御することができる。その結果、ライン画像間における隙間の発生を抑制することが可能となる。
【００１５】
また、主走査方向および副走査方向に移動自在であるとともに記録ヘッドを搭載するキャリッジをさらに備え、記録ヘッドはキャリッジと一体的に移動することで、主走査における主走査方向への移動および副走査における副走査方向への移動を実行するように画像記録装置を構成することができる。この場合、表面改質機はキャリッジに搭載されており、主走査の実行の際にキャリッジと一体的に前記主走査方向に移動することで、主走査方向における後続ライン画像が形成される範囲に渡って表面改質処理を実行するように構成しても良い。これにより、表面改質処理を、主走査と並行して効率的に実行することができる。
【００１６】
また、記録媒体は紙系の媒体であっても良い。このような紙系の媒体は、記録ヘッドから噴射される液体等の水分によって伸びやすく、その結果、上述のような隙間が発生するおそれがある。そこで、本発明を適用することで、この隙間の発生を抑制することが好適となる。
【００１７】
また、記録媒体はフィルム系の媒体であっても良い。このようなフィルム系の媒体は、温度によって伸びやすく、その結果、上述のような隙間が発生するおそれがある。そこで、本発明を適用することで、この隙間の発生を抑制することが好適となる。
【図面の簡単な説明】
【００１８】
【図１】本発明を適用可能な印刷システムの一例を示す模式図。
【図２】記録ユニットの構成を部分的に示す平面図。
【図３】図１の印刷システムが備える電気的構成を模式的に示すブロック図。
【図４】第１実施形態における印刷動作を模式的に示す図。
【図５】第２実施形態でのコロナ処理機の構成とマークの形成位置との関係を示す図。
【図６】第２実施形態における印刷動作を模式的に示す図。
【図７】第４実施形態における印刷動作を模式的に示す図。
【図８】第５実施形態における印刷動作を模式的に示す図。
【図９】第６実施形態における印刷動作を模式的に示す図。
【発明を実施するための形態】
【００１９】
第１実施形態
図１は、本発明を適用可能な印刷システムの一例を示す模式図である。なお、図１や以下の図面では必要に応じて、装置各部の配置関係を明確にするために、Ｚ軸を鉛直軸とするＸＹＺ直交座標が併記されている。以下の説明では、各座標軸（の矢印）が向く方向を正方向とし、その反対方向を負方向とし、Ｚ軸の正側を上側とし、Ｚ軸の負側を下側として適宜取り扱う。
【００２０】
印刷システム１００は、パーソナルコンピューター等の外部装置から受信した画像データに基づいて印刷データを生成するホスト装置２００と、ホスト装置２００から受信した印刷データに基づいて画像を印刷するプリンター３００とを備える。このプリンター３００は、ロール状に巻かれた長尺なシートＳを繰り出しつつ、このシートＳに対してインクジェット方式を用いて画像を印刷するものである。
【００２１】
図１に示すように、プリンター３００は、略直方体形状を有する本体ケース１を備える。本体ケース１内部には、シートＳを巻いたロールＲ1からシートＳを繰り出す繰出部２と、繰り出されたシートＳにインクを噴射して印刷を行う印刷室３と、インクが付着したシートＳを乾燥させる乾燥部４と、乾燥後のシートＳをロールＲ2として巻き取る巻取部５とが配置されている。
【００２２】
より詳しくは、本体ケース１内は、ＸＹ平面に平行に（すなわち水平に）配置された平板状の基台６によってＺ軸方向へ上下に区画されており、基台６の上側が印刷室３となっている。印刷室３内の略中央部では、プラテン３０が基台６の上面に固定されている。プラテン３０は矩形状を有しており、ＸＹ平面に平行なその上面によって、シートＳを下側から支持する。そして、記録ユニット３１が、プラテン３０上に支持されたシートＳに対して印刷を行う。
【００２３】
一方、基台６の下側には、繰出部２、乾燥部４および巻取部５が配置されている。繰出部２は、プラテン３０に対してＸ軸負方向の下側（図１の左斜め下）に配置されており、回転自在な繰出軸２１を備えている。そして、この繰出軸２１にシートＳが巻きつけられて、ロールＲ1が支持されている。一方、巻取部５は、プラテン３０に対してＸ軸正方向の下側（図１の右斜め下）に配置されており、回転自在な巻取軸５１を備えている。そして、この巻取軸５１にシートＳが巻き取られて、ロールＲ2が支持されている。また、乾燥部４は、Ｘ軸方向における繰出部２と巻取部５との間で、プラテン３０の直下に配置されている。なお、乾燥部４は、繰出部２および巻取部５に対してはやや上側にある。
【００２４】
そして、繰出部２から巻取部５へと搬送されるシートＳが、７本のローラー７１〜７７により案内されながら、印刷室３と乾燥部４とを順番に通過する。つまり、繰出部２が備える繰出軸２１のＸ軸正方向にはローラー７１が配置されており、繰出軸２１からＸ軸正方向に繰り出されたシートＳは、ローラー７１に巻き掛けられて上へと案内される。
【００２５】
ローラー７１の上側であって印刷室３の内部には、２本のローラー７２、７３がＸ軸正方向にこの順に並んでいる。そして、ローラー７１から上へと案内されたシートＳは、これら２本のローラー７２、７３へ巻き掛けられる。
【００２６】
ローラー７２、７３は、プラテン３０を挟むようにしてＸ軸方向にまっすぐ並んで（すなわち水平に）配置されており、それぞれの頂部がプラテン３０の上面（シートＳを支持する面）と同一の高さとなるように位置調整されている。したがって、ローラー７２に巻き掛けられたシートＳは、ローラー７３に到るまでの間、プラテン３０の上面に摺接しつつ水平（Ｘ軸方向）に移動する。そして、ローラー７３に巻き掛けられたシートＳは、下へと案内される。
【００２７】
ローラー７３の下側（基台６より下側）には、２本のローラー７４、７５がＸ軸負方向にこの順に並んでいる。ローラー７４とローラー７５とに巻き掛けられたシートＳは、両ローラー７４、７５の間においてＸ軸方向に平行に（すなわち水平に）案内される。また、ローラー７４、７５の間には乾燥部４が配置されている。したがって、ローラー７４に巻き掛けられたシートＳは、Ｘ軸負方向に向きを変えるとともに、ローラー７５に到るまでの間に乾燥部４の内部を通過する。
【００２８】
ローラー７５の下側では、２本のローラー７６、７７がＸ軸正方向にこの順に並んでいる。そして、ローラー７６に巻き掛けられたシートＳは、Ｘ軸正方向に向きを変えてローラー７７に到る。また、ローラー７７に巻き掛けられたシートＳは、ローラー７７のＸ軸正方向に配置された巻取部５の巻取軸５１に巻き取られる。
【００２９】
このように、繰出部２から繰り出されたシートＳは、印刷室３や乾燥部４を通過して巻取部５に巻き取られる。そして、このシートＳに対して、印刷室３での印刷処理や乾燥部４の乾燥処理が施される。
【００３０】
印刷室３での印刷処理は、プラテン３０の上側に配置された記録ユニット３１により実行される。この記録ユニット３１は、印刷室３内のＸ軸負方向の端部（図１の左端部）に配置されたインクカートリッジＣＲから図示しないインク供給機構によって供給されたインクを、インクジェット方式によりシートＳに噴射して印刷を行う。具体的には、この記録ユニット３１は、キャリッジ３２と、キャリッジ３２の下面に取り付けられた平板状の支持板３３と、支持板３３の下面に取り付けられた複数の記録ヘッド３４とを備える。
【００３１】
図２は、記録ユニットの構成を部分的に示す平面図である。図２に示すように、支持板３３の下面では、１５個の記録ヘッド３４がＹ軸方向に等ピッチで２行千鳥で並んでいる。これらの記録ヘッド３４は、ノズル３５からインクを噴射するものであり、互いに同一の構成を備えている。そこで以下では、１つの記録ヘッド３４で代表して、その構成の詳細について説明する。
【００３２】
記録ヘッド３４の下面では、複数（例えば１８０個）のノズル３５がＹ軸方向に等ピッチで直線状に並んで１つのノズル列３５Ｌが構成されるとともに、複数のノズル列３５ＬがＸ軸方向に等ピッチで並んでいる。記録ヘッド３４の下面で並ぶ複数のノズル列３５Ｌは、互いに異なるインク色に対応しており、例えば８色のインクを用いた場合は、８列のノズル列３５Ｌが記録ヘッド３４の下面に並ぶ。そして、同じノズル列３５Ｌに属するノズル３５は互いに同じ色のインクを噴射する一方、異なるノズル列３５Ｌに属するノズル３５は互いに異なる色のインクを噴射する。なお、ノズル３５は、インクの詰まった微細管に取り付けられたピエゾ素子に電圧を印加して変形させることで、インクを管外に噴射するピエゾ方式によるものである。
【００３３】
図１に戻って説明を続ける。上述のように構成された記録ユニット３１のキャリッジ３２は、支持板３３および記録ヘッド３４と一体的に移動自在となっている。具体的には、印刷室３内には、Ｘ軸方向に延びる第１ガイドレール３６が設けられており、キャリッジ３２は、第１ＣＲモーターＭx（図３）の駆動力を受けると、第１ガイドレール３６に沿ってＸ軸方向に移動する。さらに、印刷室３内には、Ｙ軸方向に延びる第２ガイドレール（図示省略）が設けられており、キャリッジ３２は、第２ＣＲモーターＭｙ（図３）の駆動力を受けると、第２ガイドレールに沿ってＹ軸方向に移動する。
【００３４】
そして、プラテン３０の上面で停止するシートＳに対して、記録ユニット３１のキャリッジ３２をＸＹ面内で二次元的に移動させて、印刷が実行される。具体的には、記録ユニット３１は、キャリッジ３２をＸ軸方向（主走査方向）に移動させつつ記録ヘッド３４の各ノズル３５からシートＳにインクを噴射する動作（主走査）を実行する。この主走査では、１つのノズルが噴射するインクにより形成されたＸ軸方向に延びる１ライン分の画像（ライン画像）が、Ｙ軸方向に間隔を空けつつ複数並んで、二次元の画像が印刷される。そして、この主走査と、キャリッジ３２をＹ軸方向（副走査方向）に移動させる副走査とが交互に実行されて、複数回の主走査が実行される（ラテラルスキャン方式）。
【００３５】
つまり、記録ユニット３１は１回の主走査を完了すると、副走査を行なってキャリッジ３２をＹ軸方向に移動させる。続いて、記録ユニット３１は、この副走査によって移動した位置から、キャリッジ３２をＸ軸方向（の先程の主走査とは反対向き）に移動させる。これによって、先程の主走査により既に形成された複数のライン画像それぞれの間に、新たな主走査によるライン画像が形成される。そして、これら主走査と副走査とが交互に実行される。つまり、このプリンター３００では、キャリッジ３２をＸ軸方向に移動させつつノズル３５からインクを噴射して、複数のライン画像から成る中間生成画像を形成する動作（主走査）を、Ｙ軸方向への位置を変えながら（副走査）、複数回数実行することで、中間生成画像を重ね合わせた画像が形成される。
【００３６】
このように、複数回の主走査を実行することで、１回の印刷が実行される。ここで、１回の主走査を「パス」と称することとし、複数回のパスにより実行される１回の印刷を「フレーム」と称することとする。また、１回のパスでシートＳに形成される中間生成画像を「１パス画像」と称することとする。
【００３７】
このような主走査と副走査を交互に繰り返して行う理由は、解像度を向上させるためである。つまり、Ｍ回のパスを実行して、Ｍ個の１パス画像を重ね合わせることで、１パス画像のＭ倍の解像度を有する１フレーム分の画像を得ることが可能となる。そこで、記録ユニット３１は、印刷すべき画像の解像度に応じた回数のパスを実行して１フレームの印刷を実行する。
【００３８】
ちなみに、キャリッジ３２は、Ｘ軸方向に往復移動可能である。そこで、記録ユニット３１は、キャリッジ３２の往路および復路のそれぞれでパスを実行することで、複数のパスを効率的に実行している。
【００３９】
上述のような１フレームの印刷は、シートＳをＸ軸方向に間欠的に移動させながら繰り返し実行される。具体的には、プラテン３０の上面のほぼ全域にわたる所定範囲が印刷領域となっている。そして、この印刷領域のＸ軸方向への長さに対応する距離（間欠搬送距離）を単位として、シートＳをＸ軸方向へ間欠的に搬送するとともに、間欠搬送中にプラテン３０の上面に停止するシートＳに対して１フレームの印刷が行われる。具体的に言えば、プラテン３０に停止するシートＳに１フレームの印刷が終わると、シートＳが間欠搬送距離だけＸ軸方向に搬送されて、シートＳの未印刷の面がプラテン３０に停止する。続いて、この未印刷面に新たに１フレームの印刷が実行され、これが完了すると、再びシートＳが間欠搬送距離だけＸ軸方向に搬送される。そして、これら一連の動作が繰り返し実行される。
【００４０】
なお、間欠搬送中にプラテン３０の上面に停止しているシートＳを平坦に保つために、プラテン３０は、その上面に停止しているシートＳを吸引する機構を備える。具体的には、プラテン３０の上面には、図示しない多数の吸引孔が開口するとともに、プラテン３０の下面には、吸引部３７が取り付けられている。そして、吸引部３７が動作することで、プラテン３０の上面の吸引孔に負圧が発生して、シートＳがプラテン３０の上面に吸引される。そして、吸引部３７は、印刷のためにシートＳがプラテン３０上に停止している間は、シートＳを吸引することで、シートＳを平坦に保つ一方、印刷が終了すると、シートＳの吸引を止めて、シートＳのスムーズな搬送を可能とする。
【００４１】
さらに、プラテン３０の下面には、ヒーター３８が取り付けられている。このヒーター３８は、プラテン３０を所定温度（例えば４５度）に加熱するものである。これにより、シートＳは、記録ヘッド３４から印刷処理を受けるのと並行して、プラテン３０の熱によって１次乾燥されることとなる。そして、この１次乾燥により、シートＳに着弾したインクの乾燥が促進される。
【００４２】
こうして、プラテン３０の上面において、１フレームの印刷を受けるとともに１次乾燥されたシートＳは、シートＳの間欠搬送に伴って移動して乾燥部４へ到達する。この乾燥部４は、乾燥用に加熱した空気により、シートＳに着弾したインクを完全に乾燥させる乾燥処理を実行する。そして、この乾燥処理を受けたシートＳは、シートＳの間欠搬送に伴って巻取部５に到達して、ロールＲ2として巻き取られる。
【００４３】
以上のようにして、記録ユニット３１および乾燥部４によって、シートＳに対して印刷・乾燥処理が施される。また、プリンター３００は、上述した記録ユニット３１や乾燥部４ほかに、コロナ処理機８やメンテナンスユニット９といった機能部を備える。続いて、これらの構成および動作の詳細について説明する。
【００４４】
コロナ処理機８は、キャリッジ３２のＸ軸負方向の端に取り付けられている。このコロナ処理機８は、コロナ放電電極８２と、コロナ放電電極８２を覆う電極カバー８３とを備える。電極カバー８３は、アースまたは所定の電位に接地されている。コロナ放電電極８２は、放電バイアス発生部８４（図３）から放電バイアスの印加を受けて、電極カバー８３との間にコロナ放電を起こす。そうすると、このコロナ放電により大気中のガスがイオン化したイオンは、コロナ放電電極８２と接地されたプラテン３０との間の電界に従い輸送され、シートＳの表面に付着する。これによって、シートＳのコロナ放電電極８２に対向する部分に表面改質が施される。なお、Ｙ軸方向において、コロナ放電電極８２はシートＳよりも長く、シートＳの両端はコロナ放電電極８２の内側に位置する。したがって、コロナ放電によって、Ｙ軸方向におけるシートＳの全域に渡って、表面改質を行うことができる。
【００４５】
そして、後に詳述するように、コロナ処理機８がキャリッジ３２と一体的にＸ軸方向へ移動しつつコロナ放電を実行することで、シートＳのＸ軸方向への所定幅に対して表面改質が実行される。こうして、コロナ放電によってシートＳにエネルギーが与えられることで、シートＳの表面が改質されて（表面改質処理）、シートＳのインクに対する濡れ性が向上する。この濡れ性は、インクの種類、インクの極性、シートの材質等に応じて最適な組合せがあるが、この最適な組合せに応じて調整すれば良い。具体的には、コロナ放電電極８２への放電バイアス、電極カバー８３への電位またはプラテン３０の電位を調整すれば良い。このように印刷処理に先立ってシートＳに表面改質を施しておくことで、印刷処理におけるシートＳへのインクの定着性を高めることができる。
【００４６】
メンテナンスユニット９は、プラテン３０からＸ軸負方向に外れた位置に設けられており、非印刷時にホームポジション（メンテナンスユニットの直上位置）に退避する記録ヘッド３４に対してメンテナンスを行う。このメンテナンスユニット９は、１５個の記録ヘッド３４に対して一対一の対応関係で設けられた１５個のキャップ９１と、キャップ９１を昇降する昇降部９３とを有する。
【００４７】
このメンテナンスユニット９で実行されるメンテナンスとしては、キャッピング、クリーニングおよびワイピングがある。キャッピングは、昇降部９３によりキャップ９１を上昇させて、ホームポジションにある記録ヘッド３４をキャップ９１で覆う処理である。このキャッピングにより、記録ヘッド３４が有するノズル３５内でインクの粘性が増大するのを抑制することができる。また、クリーニングは、記録ヘッド３４をキャッピングした状態で、キャップ９１内に負圧を発生させることにより、ノズル３５から強制的にインクを排出する処理である。このクリーニングにより、粘性が増大したインクやインク中の気泡等をノズル３５から除去することができる。ワイピングは、記録ヘッド３４においてノズル３５の開口が並ぶ面（ノズル開口形成面）を、図示しないワイパーにより拭く処理である。このワイピングにより、記録ヘッド３４のノズル開口形成面からインクを拭き取ることができる。
【００４８】
以上が、印刷システム１００が備える装置構成の概要である。続いて、上述した図１に図３を加えて、図１の印刷システムが備える電気的構成について詳述する。ここで、図３は、図１の印刷システムが備える電気的構成を模式的に示すブロック図である。
【００４９】
上述したとおり、印刷システム１００は、プリンター３００のほか、これを制御するホスト装置２００を備える。このホスト装置２００は、例えばパーソナルコンピューターにより構成されており、プリンター３００の動作を制御するプリンタードライバー２１０を内蔵するほか、プリンター３００との通信機能を司る転送制御部２２０を備える。なお、プリンタードライバー２１０は、ホスト装置２００の備えるＣＰＵ(Central Processing Unit)がプリンタードライバー２１０用のプログラムを実行することで構築される。
【００５０】
また、ホスト装置２００は、プリンタードライバー用のプログラムが記憶されたメディア２３０にアクセスして、当該プログラムを読み出すメディア駆動部２４０を備える。このメディア２３０としては、ＣＤ(Compact Disc)、ＤＶＤ(Digital Versatile Disc)、ＵＳＢ(Universal Serial Bus)メモリー等の種々のメディアを用いることができる。
【００５１】
さらに、ホスト装置２００は、作業者とのインターフェースとして、液晶ディスプレイ等で構成されるモニター２５０と、キーボードやマウス等で構成される操作部２６０とを備える。なお、タッチパネル式のディスプレイをモニター２５０として用いて、このモニター２５０のタッチパネルで操作部２６０を構成しても良い。モニター２５０には、印刷対象の画像のほかにメニュー画面が表示されている。したがって、作業者は、モニター２５０を確認しつつ操作部２６０を操作することで、メニュー画面から印刷設定画面を開いて、印刷媒体の種類、印刷媒体のサイズ、印刷品質、版数等の各種の印刷条件を設定することができる。
【００５２】
印刷媒体（すなわちシートＳ）の種類は、紙系とフィルム系に大別される。具体例を挙げると、紙系には上質紙、キャスト紙、アート紙、コート紙等があり、フィルム系には合成紙、ＰＥＴ(Polyethylene terephthalate)、ＰＰ(polypropylene)等がある。印刷媒体のサイズとしては、シートＳの幅（Ｙ軸方向の幅）が設定される。印刷品質は、印刷する解像度に応じて用意された複数の印刷モードから１つの印刷モードを選択することで、設定することができる。例を挙げれば次のとおりである。つまり、上記プリンター３００では、１フレームで実行されるパスの数を変えることで解像度を変化できる。そこで、１フレームで実行されるパスの数が異なる複数の印刷モードを用意しておき、印刷する解像度に応じたパス数の印刷モードを選択できるように構成すれば良い。これにより、選択した印刷モードのパス数に応じた解像度で印刷を実行することができる。なお、印刷モードに代えて解像度を直接入力することで、印刷品質を設定するように構成しても良い。版数は、印刷媒体の同一エリアに複数の版（画像）を重ねて印刷する際に設定されるものであり、具体的には、重ねて印刷する版の数が設定される。ちなみに、複数の版が設定されている場合は、モニター２５０に版毎の画像を表示することができる。
【００５３】
そして、プリンタードライバー２１０は、上述のような、モニター２５０の表示や、操作部２６０からの入力の処理を制御するホスト制御部２１１を備える。つまり、ホスト制御部２１１は、メニュー画面や印刷設定画面等の各種画面をモニター２５０表示させるともに、各種画面において操作部２６０から入力された内容に応じた処理を行う。これにより、ホスト制御部２１１は、作業者からの入力に応じてプリンター３００を制御するために必要な制御信号を生成する。
【００５４】
また、プリンタードライバー２１０は、外部装置から受信した画像データに対して画像処理を施して、印刷データを生成する画像処理部２１３を備える。具体的には、解像度変換処理、色変換処理、ハーフトーン処理等といった画像処理が実行される。
【００５５】
そして、ホスト制御部２１１で生成された制御信号や、画像処理部２１３で生成された印刷データは転送制御部２２０を介して、プリンター３００の本体ケース１内に設けられたプリンター制御部４００に転送される。この転送制御部２２０は、プリンター制御部４００との間で双方向のシリアル通信が可能となっており、プリンター制御部４００に制御信号や印刷データを転送するとともに、その応答信号をプリンター制御部４００から受信してホスト制御部２１１に送信する。
【００５６】
プリンター制御部４００は、ヘッドコントローラー４１０とメカコントローラー４２０とを備える。ヘッドコントローラー４１０は、プリンタードライバー２１０から送信されてきた印刷データに基づいて、記録ヘッド３４を制御する機能を司る。具体的には、ヘッドコントローラー４１０は、記録ヘッド３４のノズル３５からのインク噴射を、印刷データに基づいて制御する。この際、ノズル３５からインクを噴射するタイミングは、キャリッジ３２のＸ軸方向への移動に基づいて制御される。つまり、印刷室３内には、キャリッジ３２のＸ軸方向の位置を検出するリニアエンコーダーＥ32が設けられている。そして、ヘッドコントローラー４１０は、リニアエンコーダーＥ32の出力を参照することで、キャリッジ３２のＸ軸方向への移動に応じたタイミングで、ノズル３５からインクを噴射させる。
【００５７】
一方、メカコントローラー４２０は、シートＳの間欠搬送やキャリッジ３２の駆動を制御する機能を主として司る。具体的には、メカコントローラー４２０は、繰出部２、ローラー７１〜７７および巻取部５で構成されるシート搬送系を駆動する搬送モーターＭsを、搬送モーターＭsの回転を検出するエンコーダーＥmcの出力に基づいて制御して、シートＳの間欠搬送を実行する。また、メカコントローラー４２０は、第１ＣＲモーターＭxを制御することで、主走査のためのＸ軸方向への移動をキャリッジ３２に実行させるとともに、第２ＣＲモーターＭxを制御することで、副走査のためのＹ軸方向への移動をキャリッジ３２に実行させる。
【００５８】
そして、ヘッドコントローラー４１０とメカコントローラー４２０とが同期を取りつつ、これらの制御を適宜実行することで、間欠搬送されるシートＳに対して、解像度に応じた回数のパスが実行されて、１フレーム分の印刷が実行される。これにより、所望の解像度を有する１フレーム分の画像がシートＳに印刷される。
【００５９】
また、メカコントローラー４２０は、印刷処理のための上記制御のほかに種々の制御を実行できる。具体的には、メカコントローラー４２０は、電源スイッチＳＷのオン／オフを検出して、電源スイッチＳＷがオンした場合には、プリンター３００の各部の起動処理を実行する。また、メカコントローラー４２０は、プラテン３０上面の温度を検出する温度センサーＳ30の出力に基づいて、ヒーター３８をフィードバック制御したり、乾燥部４の内部の温度を検出する温度センサーＳ4の出力に基づいて、乾燥部４をフィードバック制御したりといった温度制御を実行する。さらに、メカコントローラー４２０は、吸引部３７を制御してプラテン３０の吸引孔に発生する負圧を調整したり、メンテナンスユニット９を制御して所定のメンテナンスを実行したり、放電バイアス発生部８４を制御して放電バイアスの値を調整したりといった各動作を実行可能である。
【００６０】
以上が、図１の印刷システムが備える電気的構成の概要である。続いて、第１実施形態で実行される印刷動作の詳細について、図４を用いて説明する。図４は、第１実施形態における印刷動作を模式的に示す図である。同図の例では、Ｘ軸方向に所定幅を有する有効印刷領域ＩＲに、１フレーム分の画像を４パスで印刷する動作が示されている。なお、「１パス目」〜「４パス目」の各欄にて、破線で示したキャリッジ３２はパスの開始地点にあるキャリッジ３２を表しており、実線で示したキャリッジ３２はパスの終了地点にあるキャリッジ３２を表している。同図に示すように、有効印刷領域ＩＲのＸ軸負方向の外側とＸ軸正方向外側の間で、キャリッジ３２を（記録ヘッド３４と一体的に）２往復させることで、４パスが実行されて、１フレーム分の画像が印刷される。
【００６１】
同図の「１パス目」の欄に示すように、１パス目では、キャリッジ３２がシートＳの有効印刷領域ＩＲの上側をＸ軸正方向へ通過するとともに、記録ヘッド３４の各ノズル３５から液体（インク）が噴射される。これによって、シートＳでは、複数のライン画像Ｌ1がＹ軸方向に間隔を空けて並ぶ。こうして１パス目の主走査が完了すると、副走査が実行されて、キャリッジ３２がＹ軸正方向へ移動距離Ｙ32だけ移動する。
【００６２】
この副走査が完了すると、同図の「２パス目」の欄に示すように、キャリッジ３２がシートＳの有効印刷領域ＩＲの上側をＸ軸負方向へ通過するとともに、記録ヘッド３４の各ノズル３５から液体が噴射される。これによって、シートＳでは、１パス目に形成された複数のライン画像Ｌ1それぞれの間に新たなライン画像Ｌ2が１本ずつ形成される。こうして２パス目の主走査が完了すると、副走査が実行されて、キャリッジ３２がＹ軸正方向へ移動距離Ｙ32だけ移動する。続いて、「１パス目」「２パス目」と同じ要領で「３パス目」「４パス目」が実行されて、有効印刷領域ＩＲに１フレーム分の画像が印刷される。
【００６３】
このように４パスを実行することで、１本のノズル３５が４本のライン画像Ｌ1〜Ｌ4をＹ軸方向に隣接して形成する。そして、この動作を複数のノズル３５のそれぞれが実行することで、ライン画像Ｌ1〜Ｌ4がＹ軸方向に繰り返し並んで形成される。こうして、１パス画像の４倍の解像度を有する１フレーム分の画像が印刷される。
【００６４】
ところで、この実施形態では、上述のように、主走査と副走査とを記録ヘッド３４に交互に実行させることで複数の主走査を実行して１フレーム分の画像を印刷する１フレーム印刷処理（画像記録処置）と並行して、表面改質処理がシートＳに対して施される。以下では、この表面改質処理について詳述する。
【００６５】
１フレームを構成する４パスのうち最初のパス（すなわち、１パス目）では、ライン画像Ｌ1の形成に先立って、マークＭ1がシートＳに形成される。つまり、１パス目の実行のためにキャリッジ３２がＸ軸正方向への移動を開始すると、記録ヘッド３４のノズル３５から液体が噴射されて、有効印刷領域ＩＲのＸ軸負方向の外側にマークＭ1が形成される。そして、このマークＭ1の形成後に、有効印刷領域ＩＲにライン画像Ｌ1が形成される。なお、このマークＭ1の形成は、キャリッジ３２に備えられた複数のノズル３５のうち、Ｙ軸方向の最上流にあるノズル３５により行われる。したがって、マークＭ1は、Ｙ軸方向の上流端に形成されることとなる。
【００６６】
こうして形成されたマークＭ1は光学センサーＳoにより検出される。つまり、有効印刷領域ＩＲのＸ軸負方向の外側は、プラテン３０の上面に対向して光学センサーＳoが配置されている。この光学センサーＳoは、プラテン３０に対する位置が固定された状態で本体ケース１により支持されたラインセンサーである。具体的には、光学センサーＳoは、その検出領域Ｒsの長手方向がＹ軸方向と平行となるように位置決めされており、検出領域Ｒsにある検出対象物（ここでは、マークＭ1）を検出する。そして、光学センサーＳoは、検出対象物のＹ軸方向への位置に関する情報を、メカコントローラー４２０に送信する。これにより、メカコントローラー４２０は、シートＳ上に形成されたマークＭ1のＹ軸方向への変位をモニターすることができる。
【００６７】
そして、メカコントローラー４２０は、こうして検出したマークＭ1のＹ軸方向への変位に基づいて、コロナ処理機８による表面改質処理を実行するか否かを判断する。つまり、マークＭ1のＹ軸方向への変位は、シートＳのＹ軸方向への伸びを反映している。そこで、メカコントローラー４２０は、マークＭ1のＹ軸方向への変位を参照することで、シートＳのＹ軸方向への伸びに応じて、適宜表面改質処理を適宜実行するといった構成を備える。つまり、マークＭ1の変位からシートＳのＹ軸方向への伸びが大きいと判断される場合は、表面改質処理を実行して、シートＳに形成されるライン画像の幅（Ｙ軸方向の幅）を増大させ、これによって、シートＳの伸びに起因する隙間の発生が抑制される。
【００６８】
具体的には、１パス目でマークＭ1が形成されると、メカコントローラー４２０は、マークＭ1の初期位置（形成時点でのマークＭ1の位置）を記憶する。続いて、１パス目におけるライン画像Ｌ1の形成が完了すると、メカコントローラー４２０は、マークＭ1のこの時点での位置と初期位置とを比較して、ライン画像Ｌ1の形成によって生じたマークＭ1の変位量を求める。そして、メカコントローラー４２０は、この変位量に応じて、以後に形成予定のライン画像Ｌ2〜Ｌ4（後続ライン画像）の形成に先立って、コロナ処理機８による表面改質処理を実行するか否かを判断する。具体的には、マークＭ1の変位量が所定の閾値（例えば、１０[μm]）以上である場合は表面改質処理を実行すると判断する一方、マークＭ1の変位量が所定の閾値未満である場合は表面改質処理を実行しないと判断する。そして、表面改質処理を実行しないと判断された場合は、そのまま２パス目が実行されて、ライン画像Ｌ2が形成される。
【００６９】
一方、表面改質処理を実行すると判断された場合は、ライン画像Ｌ2の形成に先立って、シートＳの有効印刷領域ＩＲの全域に渡って表面改質処理が実行される。具体的には、この表面改質処理は、先程の１パス目に続く２パス目の主走査と並行して実行される。つまり、２パス目の実行のためにキャリッジ３２がＸ軸負方向への移動を開始して、コロナ処理機８のコロナ放電電極８２が有効印刷領域ＩＲに対向する位置に到達すると、放電バイアス発生部８４が放電バイアスをコロナ放電電極８２に印加して、表面改質処理が開始される。続いて、これより少し遅れて、記録ヘッド３４が有効印刷領域ＩＲに到達したタイミングから２パス目のライン画像Ｌ2の形成が開始される。これにより、ライン画像Ｌ2は、表面改質処理の施された有効印刷領域ＩＲに対して形成される。こうして、キャリッジ３２をＸ軸負方向へ移動させつつ、表面改質処理とライン画像Ｌ2の形成とを実行することで、表面改質処理の直後にライン画像Ｌ2を形成するといった動作が有効印刷領域ＩＲの全域に渡って実行される。
【００７０】
こうして２パス目が完了すると、続いて３パス目が実行される。そして、３パス目においてライン画像Ｌ3の形成が完了すると、メカコントローラー４２０はこの時点におけるマークＭ1の初期位置からの変位量を求める。続いて、上述と同様にして、メカコントローラー４２０は、この変位量に応じて、以後に形成予定のライン画像Ｌ4（後続ライン画像）の形成に先立って、コロナ処理機８による表面改質処理を実行するか否かを判断する。そして、表面改質処理を実行しないと判断された場合は、そのまま４パス目が実行されて、ライン画像Ｌ4が形成される。一方、表面改質処理を実行すると判断された場合は、上述の２パス目と同じ要領で４パス目が実行されて、ライン画像Ｌ4は、表面改質処理の施された有効印刷領域ＩＲに対して形成されることとなる。こうして４パス目が実行されて、１フレーム分の印刷が完了する。
【００７１】
以上のように構成された実施形態では、Ｘ軸方向（主走査方向）に記録ヘッド３４を移動させつつ記録ヘッド３４から液体を噴射してライン画像Ｌ1〜Ｌ4を形成する主走査と、Ｙ軸方向（副走査方向）に記録ヘッド３４を移動させる副走査とが交互に実行される。このようにして複数の主走査が実行されて、Ｙ軸方向に隣接するライン画像Ｌ1〜Ｌ4が互いに異なる主走査（パス）により形成される。そのため、異なるタイミングで実行された主走査（パス）により形成されたライン画像Ｌ1〜Ｌ4が、Ｙ軸方向に隣接して並ぶこととなる。ただし、このような構成では、シートＳがＹ軸方向へ伸びた場合に、上述のような隙間が発生するおそれがあった。
【００７２】
このような問題に対して、この実施形態は、シートＳのＹ軸方向への伸びを検出するために、シートＳに形成されたマークＭ1の変位を検出するといった構成を備えており、このマークＭ1の変位の検出結果に基づいてシートＳへの表面改質処理を適宜実行する。具体的には、１フレーム分の画像を印刷する１フレーム印刷処理（画像記録処置）の途中において、マークＭ1の変位の検出結果から、以後に形成予定のライン画像Ｌ2〜Ｌ4（後続ライン画像）の形成に先立ってシートＳへの表面改質処理を実行するか否かが判断される。これにより、シートＳがＹ軸方向へ伸びた場合には、必要に応じて表面改質処理を実行することが可能となる。その結果、ライン画像Ｌ2〜Ｌ4の幅を増大させて、上述の隙間の発生を抑制することが可能となる。
【００７３】
また、上記実施形態では、コロナ処理機８はキャリッジ３２に搭載されており、主走査の実行の際にキャリッジ３２と一体的にＸ軸方向に移動することで、Ｘ軸方向における有効印刷領域ＩＲ（つまり、後続ライン画像が形成される範囲）の全域に渡って表面改質処理を実行する。これにより、表面改質処理を、主走査と並行して効率的に実行することが可能となっている。
【００７４】
また、この実施形態では、マークＭ1は、記録ヘッド３４がシートＳに液体を噴射することで、シートＳに形成されている。このような構成では、マークＭ1を形成するタイミングや位置を適宜調整できるといった利点がある。
【００７５】
また、この実施形態では、マークＭ1は、主走査の実行中にＸ軸方向に移動する記録ヘッド３４がシートＳに液体を噴射することで、シートＳに形成されている。このような構成は、主走査の実行中にマークＭ1を形成することができるため、マークＭ1を形成するための動作を別途実行する必要がなく、印刷速度の向上を図るにあたって有利となる。
【００７６】
ところで、上述のようにシートＳに液体を噴射してライン画像Ｌ1〜Ｌ4を形成する構成では、ライン画像Ｌ1〜Ｌ4を形成する度にシートＳに付着する液量が増して、シートＳがＹ軸方向へ伸びていく傾向にある。この場合、ライン画像Ｌ1〜Ｌ4の形成により発生するシートＳのこのような伸びを、マークＭ1の変位に反映させることが好適となる。
【００７７】
そこで、この実施形態は、マークＭ1の形成が行われる１パス目の主走査において、当該マークＭ1を形成してからライン画像Ｌ1を形成している。したがって、ライン画像Ｌ1の形成の際に発生するシートＳの伸びを、マークＭ1の変位に反映させることができる。その結果、上述の隙間の発生を、より確実に抑制することが可能となる。
【００７８】
また、この実施形態では、複数の主走査（４パス）のうち、最初に実行される主走査（１パス目）の実行中にマークＭ1が形成される。このように構成することで、各主走査で画像ラインＬ1〜Ｌ4が形成される際に発生するシートＳの伸びを、マークＭ1の変位に反映させることができる。その結果、上述の隙間の発生を、より確実に抑制することが可能となる。
【００７９】
また、この実施形態は、光学センサーＳoは、検出領域Ｒsの長手方向がＹ軸方向に平行に配置されたラインセンサーを有し、このラインセンサーがマークを検出した結果に基づいて、マークＭ1のＹ軸方向への変位を検出している。このようなラインセンサーを用いることで、マークＭ1のＹ軸方向への変位を確実に捉えることができる。
【００８０】
また、上述のように、シートＳとしては紙系の媒体およびフィルム系の媒体の両方が使用可能である。なお、紙系の媒体は、記録ヘッド３４から噴射される液体等の水分によって伸びやすく、その結果、上述のような隙間が発生するおそれがある。そこで、この実施形態のように構成することで、隙間の発生を抑制することが好適となる。また、フィルム系の媒体は、温度によって伸びやすい。特に、プラテン３０でシートＳを加熱する構成では、温度による伸びが顕著となるおそれがある。そこで、この実施形態のように構成することで、隙間の発生を抑制することが好適となる。
【００８１】
第２実施形態
ところで、シートＳの伸び方は、Ｙ軸方向への位置によって異なる場合がある。そこで、これから説明する第２実施形態では、複数のマークＭ1がＹ軸方向において互いに異なる位置に形成されおり、これによって、Ｙ軸方向の異なる位置におけるシートＳの伸び方の違いが、マークＭ1の変位により検出可能となっている。さらに、このマークＭ1の変位を検出した結果に基づいて、Ｙ軸方向の所定範囲毎に表面改質処理を実行できるように、コロナ処理機８が構成されている。具体的には、コロナ処理機８は複数のコロナ放電電極８２をＹ軸方向に並べた構成を備えており、各コロナ放電電極８２に対してマークＭ1がｋ個ずつ形成される（図５）。ここで、図５は、第２実施形態でのコロナ処理機の構成とマークの形成位置との関係を示す模式図である。
【００８２】
続いて、このような構成を備える第２実施形態の詳細について説明する。なお、以下では、第１実施形態との差異を中心に説明する一方、共通部分については説明を適宜省略する。ただし、第１実施形態と共通する構成を備えることで、第２実施形態においても第１実施形態と同様の効果が奏されることは言うまでも無い。また、この点は、第２実施形態に続いて説明する第３〜第６実施形態についても同様である。
【００８３】
図６は、第２実施形態における印刷動作を模式的に示す図である。図６の例においても、図４と同様に、有効印刷領域ＩＲのＸ軸負方向の外側とＸ軸正方向の外側との間で、キャリッジ３２を（記録ヘッド３４と一体的に）２往復させることで、４パスが実行されて、１フレーム分の画像が印刷される。なお、図６においてキャリッジ３２に関する表記（実線・破線）が示す意味は、図４のそれと同様である。
【００８４】
第２実施形態においても、１フレームを構成する４パスのうち最初のパス（すなわち、１パス目）では、ライン画像Ｌ1の形成に先立って、マークＭ1がシートＳに形成される。ただし、第１実施形態と異なり、キャリッジ３２に備えられた複数のノズル３５のそれぞれが、１つずつマークＭ1を形成する。これによって、複数のマークＭ1がＹ軸方向に並ぶ。
【００８５】
一方、上述のとおり、コロナ処理機８は、複数のコロナ放電電極８２をＹ軸方向に並べた構成を備えている。そして、複数のコロナ放電電極８２は、それぞれが対向するシートＳの領域Ｒ82に対する表面改質処理を担当する。したがって、複数のマークＭ1がＹ軸方向に並べて形成されることで、各コロナ放電電極８２が表面改質処理を分担する領域Ｒ82毎にｋ個のマークＭ1がＹ軸方向に並んで形成される（つまり、各コロナ放電電極８２に対してｋ個ずつマークＭ1が形成される）。ここで、ｋは正の整数とする。
【００８６】
そして、第２実施形態では、Ｙ軸方向に複数のマークＭ1が並ぶ全域に渡って、光学センサーＳo（ラインセンサー）の検出領域Ｒsが設けられており、複数のマークＭ1それぞれの位置に関する情報が光学センサーＳoからメカコントローラー４２０に送信される。そして、メカコントローラー４２０は、この各マークＭ1の位置情報に基づいて、以後に形成予定のライン画像Ｌ2〜Ｌ4（後続ライン画像）の形成に先立って、コロナ処理機８による表面改質処理を実行するか否かを判断する。
【００８７】
つまり、１パス目で複数のマークＭ1が形成されると、メカコントローラー４２０は、各マークＭ1の初期位置（形成時点での各マークＭ1の位置）を記憶する。続いて、１パス目におけるライン画像Ｌ1の形成が完了すると、メカコントローラー４２０は、この時点における各マークＭ1の初期位置からの変位量を求める。さらに、メカコントローラー４２０は、領域Ｒ82毎に形成されたｋ個のマークＭ1の変位量の平均値を算出する。こうして、複数の領域Ｒ82それぞれについて、ｋ個のマークＭ1の平均変位量が算出される。そして、メカコントローラー４２０は、ｋ個のマークＭ1の平均変位量が所定の閾値以上である領域Ｒ82に対して表面改質処理を実行すると判断する一方、ｋ個のマークＭ1の平均変位量が所定の閾値未満である領域Ｒ82に対しては表面改質処理を実行しないと判断する。
【００８８】
続く２パス目では、ライン画像Ｌ2の形成に先立って、表面改質処理を実行すると判断された領域Ｒ82に対して表面改質処理が実行される。具体的には、２パス目の実行後まもなく、コロナ処理機８のコロナ放電電極８２が有効印刷領域ＩＲに差し掛かると、表面改質処理を実行すると判断された領域Ｒ82を分担するコロナ放電電極８２に対してのみ選択的に放電バイアスが印加されて、当該領域Ｒ82への表面改質処理が開始される。続いて、これより少し遅れて、記録ヘッド３４が有効印刷領域ＩＲに到達したタイミングから２パス目のライン画像Ｌ2の形成が開始される。こうして、キャリッジ３２をＸ軸負方向へ移動させつつ、表面改質処理とライン画像Ｌ2の形成とを実行することで、表面改質処理の直後にライン画像Ｌ2を形成するといった動作が実行される。
【００８９】
この２パス目が完了すると、続いて３パス目が実行される。そして、３パス目においてライン画像Ｌ3の形成が完了すると、メカコントローラー４２０はこの時点におけるマークＭ1の初期位置からの変位量を求める。続いて、上述と同様にして、メカコントローラー４２０は、この変位量に応じて、以後に形成予定のライン画像Ｌ4（後続ライン画像）の形成に先立って、コロナ処理機８による表面改質処理を実行するか否かを領域Ｒ82毎に判断し、この判断結果に基づいて４パス目を実行する。そして、１フレーム分の印刷が完了する。
【００９０】
以上のように第２実施形態においても、シートＳのＹ軸方向への伸びを検出するために、シートＳに形成されたマークＭ1の変位を検出するといった構成を備えており、このマークＭ1の変位の検出結果に基づいてシートＳへの表面改質処理を適宜実行する。その結果、シートＳがＹ軸方向に伸びた場合であっても、ライン画像Ｌ2〜Ｌ4の幅を増大させて、上述の隙間の発生を抑制することが可能となっている。
【００９１】
また、第２実施形態は、上述の隙間が記録媒体の全体に渡って一様に発生するとは限らず、部分的に発生する場合もあることに対応して、次のような構成を備えている。つまり、コロナ処理機８は、シートＳのＹ軸方向に異なる複数の領域Ｒ82毎に表面改質処理を実行可能である。そして、メカコントローラー４２０は、シートＳの複数の領域Ｒ82毎に表面改質処理を実行するか否かを判断するとともに、表面改質処理を実行すると判断した領域Ｒ82に対してコロナ処理機８に表面改質処理を実行させている。これによって、表面改質処理を効率的に実行することが可能となっている。
【００９２】
なお、第２実施形態で示した例では、キャリッジ３２に備えられた複数のノズル３５の全てがマークＭ1を形成している。ただし、これら複数のノズル３５の一部のノズル３５（例えば、Ｙ軸方向に１つ置きや２つ置きのノズル３５）のみがマークＭ1を形成して、複数のマークＭ1をＹ軸方向において異なる位置に形成しても良い。
【００９３】
第３実施形態
ところで、上述したように、シートＳの伸び方がＹ軸方向への位置によって異なることに起因して、上述した隙間の発生態様が、シートＳのＹ軸方向の正側と負側で異なる場合がある。具体的に説明すると次のとおりである。
【００９４】
つまり、シートＳの膨張は、Ｙ軸方向の中央部を中心として、Ｙ軸方向の両端間が広がるようにして発生する。したがって、シートＳのＹ軸方向の正側はより正側へ広がって移動するとともに、シートＳのＹ軸方向の負側はより負側へ広がって移動する。このような伸びを見せるシートＳに対して、記録ヘッド３４は、Ｙ軸方向の負側から正側に移動しつつ（副走査）、各移動先でインクの噴射を実行する（主走査）。したがって、副走査に伴う記録ヘッド３４の移動方向は、シートＳのＹ軸方向の負側半分ではシートＳが広がる方向に対して逆になる一方、シートＳのＹ軸方向の正側半分ではシートＳが広がる方向に対して順になる。その結果、シートＳの伸びる方向と逆に記録ヘッド３４が移動するシートＳのＹ軸方向の負側半分において、上述の隙間の発生が特に顕著となる場合があった。
【００９５】
そこで、上記第１実施形態や第２実施形態に対して、シートＳの中心よりＹ軸負方向の半分に対してのみ表面改質処理を実行するように変形しても良い。具体的には、図５に示したように、Ｙ軸方向に並ぶ複数のコロナ放電電極８２でコロナ処理機８を構成するとともに、シートＳの中心よりＹ軸方向の負側半分に位置するコロナ放電電極８２についてのみ、表面改質処理の実行の有無を判断し、その他のコロナ放電電極８２を動作させなければ良い。これにより、シートＳのＹ軸方向の負側半分において特に顕著となっていた隙間の発生を、効果的に抑制することができる。
【００９６】
ちなみに、シートＳのＹ軸方向の幅は一定とは限らず、種々の幅のシートＳに対して印刷処理を実行可能である。これに対して、この実施形態のように、Ｙ軸方向に並ぶ複数のコロナ放電電極８２でコロナ処理機８を構成しておけば、表面改質処理を実行するコロナ処理機を、シートＳの幅に応じて選択することができる。その結果、シートＳの幅が変化した場合であっても、シートＳの中心よりＹ軸方向の負側半分に対して表面改質処理を実行するといった上記動作を適切に実行することができる。
【００９７】
第４実施形態
図７は、第４実施形態における印刷動作を模式的に示す図である。図７の例においても、有効印刷領域ＩＲのＸ軸負方向の外側とＸ軸正方向の外側との間で、キャリッジ３２を（記録ヘッド３４と一体的に）２往復させることで、４パスが実行されて、１フレーム分の画像が印刷される。ただし、第４実施形態では、１パス目および３パス目のそれぞれにおいて、ライン画像Ｌ1、Ｌ3の形成に先立って、マークＭ1、Ｍ3がシートＳに形成される。なお、図７においてキャリッジ３２に関する表記（実線・破線）が示す意味は、図４のそれと同様である。
【００９８】
第４実施形態における１パス目および２パス目の動作は、第１実施形態と同様であるので省略し、３パス目以後の動作について主に説明する。上述のとおり、第４実施形態では、この３パス目において、ライン画像Ｌ3の形成に先立ってマークＭ3が形成される。この際、メカコントローラー４２０は、３パス目でマークＭ3が形成されると、マークＭ3の初期位置（形成時点でのマークＭ3の位置）を記憶する。続いて、３パス目におけるライン画像Ｌ3の形成が完了すると、メカコントローラー４２０は、この時点におけるマークＭ3の初期位置からの変位量を求める。そして、マークＭ3の変位量が所定の閾値以上である場合は表面改質処理を実行すると判断する一方、マークＭ1の変位量が所定の閾値未満である場合は表面改質処理を実行しないと判断する。そして、表面改質処理を実行しないと判断された場合は、そのまま４パス目が実行されて、ライン画像Ｌ4が形成される。
【００９９】
一方、表面改質処理を実行すると判断された場合は、ライン画像Ｌ4の形成に先立って、シートＳの有効印刷領域ＩＲの全域に渡って表面改質処理が実行される。具体的には、第１実施形態での２パス目と同様の動作が４パス目で実行される。こうして、表面改質処理が施されたシートＳに対してライン画像Ｌ4を形成しつつ４パス目が実行されて、１フレーム分の印刷が完了する。
【０１００】
以上のように第４実施形態においても、シートＳのＹ軸方向への伸びを検出するために、シートＳに形成されたマークＭ1、Ｍ3の変位を検出するといった構成を備えており、このマークＭ1、Ｍ3の変位の検出結果に基づいてシートＳへの表面改質処理を適宜実行する。その結果、シートＳがＹ軸方向に伸びた場合であっても、ライン画像Ｌ2〜Ｌ4の幅を増大させて、上述の隙間の発生を抑制することが可能となっている。
【０１０１】
第５実施形態
図８は、第５実施形態における印刷動作を模式的に示す図である。図８の例においても、有効印刷領域ＩＲのＸ軸負方向の外側とＸ軸正方向の外側との間で、キャリッジ３２を（記録ヘッド３４と一体的に）２往復させることで、４パスが実行されて、１フレーム分の画像が印刷される。なお、図８においてキャリッジ３２に関する表記（実線・破線）が示す意味は、図４のそれと同様である。
【０１０２】
第５実施形態では、キャリッジ３２のＸ軸方向の両側にコロナ処理機８a、８bが取り付けられている。このように構成することで、２〜４パス目の各パスにおいて、ライン画像Ｌ2〜Ｌ4とこれに形成に先立つ面改質処理との両方を実行可能となる。つまり、２パス目および４パス目では、上記実施形態と同様に、Ｙ軸負方向にキャリッジ３２を移動させつつ、キャリッジ３２のＹ軸負方向側のコロナ処理機８aを動作させることで、ライン画像Ｌ2、Ｌ4の形成に先立って表面改質処理を実行できる。また、３パス目では、Ｙ軸正方向にキャリッジ３２を移動させつつ、キャリッジ３２のＹ軸正方向側のコロナ処理機８aを動作させることで、ライン画像Ｌ3の形成に先立って表面改質処理を実行できる。
【０１０３】
また、第５実施形態では、１フレームを構成する４パスのうち１パス目〜３パス目において、ライン画像Ｌ1〜Ｌ3の形成に先立ってマークＭ1〜Ｍ3がシートＳに形成される。これによって、マークＭ1、Ｍ3は、有効印刷領域ＩＲのＸ軸負方向の外側に形成される一方、マークＭ2は、有効印刷領域ＩＲのＸ軸正方向の外側に形成される。また、このようなマークＭ1〜Ｍ3の形成位置に対応して、有効印刷領域ＩＲのＸ軸方向の両外側では、光学センサーＳo（ラインセンサー）が配置されており、各光学センサーＳoの検出領域Ｒs1、Ｒs2が位置している。これにより、検出領域Ｒs1においてマークＭ1、Ｍ3が検出されて、各マークＭ1、Ｍ3の位置情報がメカコントローラー４２０に出力される。また、検出領域Ｒs2においてマークＭ2が検出されて、各マークＭ2の位置情報がメカコントローラー４２０に出力される。
【０１０４】
このような構成を備えた第５実施形態では、（ｎ+１）パス目においてライン画像Ｌnの形成に先立って表面改質処理を実行するか否かの判断が、ｎパス目に形成されたマークＭnの変位に基づいて決定される。ここで、ｎは正の整数であるとともに、ｎパス目に形成されるマークをＭnと表示し、ｎパス目に形成されるライン画像をＬnと表示した。
【０１０５】
つまり、ｎパス目でマークＭnが形成されると、メカコントローラー４２０は、マークＭnの初期位置（形成時点でのマークＭnの位置）を記憶する。続いて、ｎパス目におけるライン画像Ｌnの形成が完了すると、メカコントローラー４２０は、この時点におけるマークＭnの初期位置からの変位量を求める。そして、上述と同様にして、メカコントローラー４２０は、この変位量に応じて、以後に形成予定のライン画像Ｌ2〜Ｌ4（後続ライン画像）の形成に先立って、コロナ処理機８による表面改質処理を実行するか否かを判断する。そして、表面改質処理を実行しないと判断された場合は、そのまま（ｎ+１）パス目が実行される。一方、表面改質処理を実行すると判断された場合は、（ｎ+１）パス目において、ライン画像Ｌn+1が形成されるとともに、このライン画像Ｌn+1の形成に先立って表面改質処理が実行される。このようにして、１〜４パス目を実行することで、１フレーム分の印刷が完了する。
【０１０６】
以上のように第５実施形態においても、シートＳのＹ軸方向への伸びを検出するために、シートＳに形成されたマークＭ1〜Ｍ3の変位を検出するといった構成を備えており、このマークＭ1〜Ｍ3の変位の検出結果に基づいてシートＳへの表面改質処理を適宜実行する。その結果、シートＳがＹ軸方向に伸びた場合であっても、ライン画像Ｌ2〜Ｌ4の幅を増大させて、上述の隙間の発生を抑制することが可能となっている。
【０１０７】
第６実施形態
図９は、第６実施形態における印刷動作を模式的に示す図である。図９の例においても、有効印刷領域ＩＲのＸ軸負方向の外側とＸ軸正方向の外側との間で、キャリッジ３２を（記録ヘッド３４と一体的に）２往復させることで、４パスが実行されて、１フレーム分の画像が印刷される。なお、図９においてキャリッジ３２に関する表記（実線・破線）が示す意味は、図４のそれと同様である。
【０１０８】
上記実施形態と異なり、第６実施形態では、光学センサーＳoがキャリッジ３２に取り付けられており、キャリッジ３２と一体的に移動する。この光学センサーＳoは、キャリッジ３２に対してＸ軸方向の負側に設けられており、その結果、光学センサーＳoの検出領域Ｒsは、キャリッジ３２のＸ軸方向の負側に位置する。また、コロナ処理機８は、キャリッジ３２のＸ軸方向の正側に取り付けられている。このような構成を備える第６実施形態では、次のような印刷動作が実行される。
【０１０９】
１パス目では、マークＭ1が形成された後に、ライン画像Ｌ1が形成される。この際、キャリッジ３２のＸ軸正方向への移動に伴って、光学センサーＳoの検出領域ＲsがマークＭ1を通過する。これによって、光学センサーＳoによりマークＭ1が検出されて、マークＭ1の位置情報がメカコントローラー４２０に出力される。一方、メカコントローラー４２０は、この時点でのマークＭ1の位置をマークＭ1の初期位置として記憶する。
【０１１０】
１パス目が完了すると、２パス目が実行されて、ライン画像Ｌ2が形成される。この２パス目では、ライン画像Ｌ2の形成後のキャリッジ３２の移動に伴って、光学センサーＳoの検出領域ＲsがマークＭ1を通過する。これによって、光学センサーＳoによりマークＭ1が検出されて、マークＭ1の位置情報がメカコントローラー４２０に出力される。一方、メカコントローラー４２０は、この時点におけるマークＭ1の初期位置からの変位を求める。
【０１１１】
また、メカコントローラー４２０は、こうして求めたマークＭ1の変位量に応じて、以後に形成予定のライン画像Ｌ3、Ｌ4（後続ライン画像）の形成に先立って、コロナ処理機８による表面改質処理を実行するか否かを判断する。そして、表面改質処理を実行しないと判断された場合は、そのまま３パス目、４パス目が実行される。一方、表面改質処理を実行すると判断された場合は、３パス目において、ライン画像Ｌ3が形成されるとともに、このライン画像Ｌ3の形成に先立ってコロナ処理機８により表面改質処理が実行される。そして、この３パス目に続いて４パス目を実行することで、１フレーム分の印刷が完了する。
【０１１２】
以上のように第６実施形態においても、シートＳのＹ軸方向への伸びを検出するために、シートＳに形成されたマークＭ1〜Ｍ3の変位を検出するといった構成を備えており、このマークＭ1の変位の検出結果に基づいてシートＳへの表面改質処理を適宜実行する。その結果、シートＳがＹ軸方向に伸びた場合であっても、ライン画像Ｌ3、Ｌ4の幅を増大させて、上述の隙間の発生を抑制することが可能となっている。
【０１１３】
その他
以上のように、プリンター３００が本発明の「画像記録装置」に相当し、シートＳが本発明の「記録媒体」に相当し、インクが本発明の「液体」に相当し、プラテン３０が本発明の「支持部材」に相当し、記録ヘッド３４が本発明の「記録ヘッド」に相当し、ヘッドコントローラー４１０とメカコントローラー４２０とが協働して本発明の「画像記録制御部」として機能し、光学センサーＳoとメカコントローラー４２０とが協働して本発明の「検出部」に相当し、コロナ処理機８が本発明の「表面改質部」に相当し、メカコントローラー４２０と放電バイアス発生部８４が本発明の「表面改質制御部」に相当し、Ｘ軸方向が本発明の「主走査方向」に相当し、Ｙ軸方向が本発明の「副走査方向」に相当し、１フレーム印刷処理が本発明の「画像記録処置」に相当している。
【０１１４】
なお、本発明は上記実施形態に限定されるものではなく、その趣旨を逸脱しない限りにおいて上述したものに対して種々の変更を加えることが可能である。例えば、上記実施形態では、メカコントローラー４２０は、マークの変位に基づいてコロナ処理機８による表面改質処理の実行の有無を判断していたが、これに加えて、表面改質処理を実行するコロナ処理機８のエネルギーを調整しても良い。具体的には、マークの変位の増大に応じて、放電バイアス発生部８４が発生するバイアスを増大させて、コロナ処理機８からより大きなエネルギーをシートＳに付与するように構成すれば良い。このように、マークの変位の検出結果に基づいて、表面改質処理のエネルギーを調整することで、ライン画像の幅を調整することが可能となり、上述の隙間の発生をより効果的に抑制することができる。
【０１１５】
この際、シートＳのＹ軸方向に沿って連続的に表面改質処理でのエネルギーを調整可能であるように構成しても良い。このように構成することで、ライン画像の幅を調整してこれらの間における隙間の発生を抑制することができる。
【０１１６】
具体的には、コロナ放電電極８２とプラテン３０を平行に（一定の距離で）配置するのではなく、Ｙ軸方向に沿って距離が異なるように配置すれば良い（つまり、コロナ放電電極８２をプラテン３０に対して傾けて配置する）。また、コロナ放電電極８２を２本設けて、一方はＹ軸の正の方向に対して距離が離れるように配置し、他方はＹ軸方向の負の方向に対して距離が離れるように配置することで、いずれかのコロナ放電電極８２に放電バイアスを印加すれば良い。また、コロナ放電電極８２とプラテン３０を平行に（一定の距離で）配置し、外径を連続的に太い（または細い）コロナ放電電極８２に放電バイアスを印加しても良い。換言すれば、Ｙ軸方向の一方側に向けて外径が連続的に太くあるいは細く変化するコロナ放電電極８２を、その中心線がプラテン３０（の表面）と平行となるように配置すれば良い。
【０１１７】
これらの構成では、アース電極ローラー８１の表面とプラテン３０の表面とが互いに傾いて対向する。したがって、表面改質処理においてシートＳに付与されるエネルギーをＹ軸方向に沿って連続的に変化させることが可能となる。そして、実際にシートＳに形成したマークＭの変位に基づいて、コロナ放電電極８２への印加バイアスを調整することで、表面改質処理でのエネルギーをＹ軸方向に沿って連続的に調整することができ、ライン画像の幅を高精度に制御することができる。その結果、ライン画像間における隙間の発生を抑制することが可能となる。
【０１１８】
また、上記第１〜第４実施形態では、キャリッジ３２のＸ軸方向の片側にのみコロナ処理機８を取り付けていた。しかしながら、第１〜第４実施形態に対して、第５実施形態のようなＸ軸方向の両側にコロナ処理機８を取り付けた構成を適用しても良い。これにより、２パス目および４パス目以外に、３パス目においても、ライン画像Ｌ3の形成とこれに先立つ表面改質処理の両方を実行することができる。
【０１１９】
また、上記実施形態では、画像記録装置として、インクジェット式のプリンター３００が採用されているが、インク以外の他の流体を噴射したり吐出したりする流体噴射装置を採用しても良い。また、微小量の液滴を吐出させる液体噴射ヘッド等を備える各種の液体噴射装置全般に本発明を適用可能である。この場合、液滴とは、液体噴射装置から吐出される液体の状態を指し、粒状、涙状、糸状に尾を引くものも含む。また、ここで言う液体とは、液体噴射装置が噴射させることができるような材料であれば良い。例えば、液相の状態にある物質が液体に含まれ、粘性の高いあるいは低い液状態、ゾル、ゲル水、その他の無機溶剤、有機溶剤、溶液、液状樹脂、液状金属（金属融液）のような流状体が液体に含まれる。また、顔料や金属粒子などの固形物からなる機能材料の粒子が溶媒に溶解、分散あるいは混合されたものが液体に含まれる。また、液体の代表的な例としては、上記実施形態で説明したようなインクや液晶等が挙げられる。ここで、インクとは、一般的な水性インク、油性インク、ジェルインク、ホットメルトインク等の各種液体組成物を包含するものとする。
【０１２０】
また、上記実施形態では、１フレームで実行される各副走査ではいずれもＹ軸正方向にのみキャリッジ３２を移動させて、４本のライン画像Ｌ1〜Ｌ4をこの順番でＹ軸正方向に並べて形成していた。しかしながら、副走査においてキャリッジ３２が移動可能な方向はＹ軸正方向に限られない。すなわち、１フレームで実行される各副走査において、Ｙ軸負方向にキャリッジ３２を移動させて、４本のライン画像Ｌ1〜Ｌ4をこの順番でＹ軸負方向（つまり、上記実施形態と逆方向）に並べて形成しても良い。あるいは、Ｙ軸正方向にキャリッジ３２を移動させる副走査と、Ｙ軸負方向にキャリッジ３２を移動させる副走査の両方を１フレーム中に実行しても良い。具体例を挙げると次のとおりである。
【０１２１】
つまり、１パス目のライン画像Ｌ1を形成した後に、３ライン分のライン画像の幅に相当する移動距離Ｙ32だけＹ軸正方向にキャリッジ３２を移動させる副走査を行って、２パス目のライン画像Ｌ2を形成する。これによって、例えば図４のライン画像Ｌ4に相当する位置に、２パス目のライン画像Ｌ2が形成される。その後、２パス目〜３パス目および３パス目〜４パス目のそれぞれで実行される副走査では、１ライン分のライン画像の幅に相当する移動距離Ｙ32だけＹ軸負方向にキャリッジ３２を移動させて、３パス目および４パス目を実行する。これによって最終的には、ライン画像Ｌ1、Ｌ4、Ｌ3、Ｌ2がこの順番でＹ軸正方向に並べて形成される。そして、このような印刷処理においても、副走査におけるキャリッジ３２の移動距離Ｙ32を、シートＳに形成されたマークのＹ軸方向への変位に基づいて調整することで、上述の隙間の発生を抑制することが可能となる。
【０１２２】
また、上記実施形態では、４パスで１フレームの印刷を実行する場合を主に例示して説明を行った。しかしながら、１フレームの印刷を構成するパスの数は複数であれば良く、４パスに限られない。
【０１２３】
また、上記実施形態では、マークＭ1〜Ｍ3を記録ヘッド３４によってシートＳに形成していた。しかしながら、記録ヘッド３４とは別にマークＭ1〜Ｍ3を形成する機能部を設けても良い。あるいは、予めマークＭ1〜Ｍ3の形成されているシートＳを用いることもできる。
【０１２４】
また、上記実施形態では、コロナ処理機８はキャリッジ３２に取り付けられていた。しかしながら、キャリッジ３２とは別に設けられた、Ｘ軸方向に移動自在な移動部材に対してコロナ処理機８を取り付けても良い。この場合、後続ライン画像の形成に先立って、この移動部材をＸ軸方向に移動させつつコロナ処理機８による表面改質処理をシートＳに実行するように構成すれば良い。
【０１２５】
また、上記実施形態では、コロナ処理により表面改質を実行していた。しかしながら、コロナ処理以外の手法、例えばプラズマ処理によって表面改質を実行するように構成しても良い。
【０１２６】
また、上記実施形態では、検出部を構成するにあたりラインセンサーを用いていた。しかしながら、ラインセンサー以外のセンサーを用いて検出部を構成しても良い。要するに、シートＳに形成されたマークＭ1〜Ｍ3を検出できるものであれば足りる。
【０１２７】
また、上記実施形態では、ピエゾ方式を用いたインクジェットプリンターに対して本発明を適用した場合について説明した。しかしながら、サーマル方式を用いたインクジェットプリンターに対しても本発明を適用可能であることは言うまでもない。
【０１２８】
また、上記実施形態では、キャリッジ３２をＸ軸方向に往復走査させて印刷動作を行う場合を例示して説明を行った。しかしながら、キャリッジ３２をＸ軸方向の片方向にのみ走査させて印刷動作を行う構成に対しても、本発明を適用可能である。
【符号の説明】
【０１２９】
１００…印刷システム、  ２００…ホスト装置、  ３００…プリンター、  ４００…プリンター制御部、  ４１０…ヘッドコントローラー、  ４２０…メカコントローラー、  ３０…プラテン、  ３１…記録ユニット、  ３２…キャリッジ、  ３３…支持板、  ３４…記録ヘッド、  ３５…ノズル、  ３５Ｌ…ノズル列、  ８，８a，８b…コロナ処理機、  ８２…コロナ放電電極、  ＩＲ…有効印刷領域、  Ｌ1，Ｌ2，Ｌ3，Ｌ4…ライン画像、  Ｓo…光学センサー、  Ｓ…シート、  Ｘ…主走査方向、  Ｙ…副走査方向
【図１】
2013006308.tif 000003
【図２】
2013006308.tif 000004
【図３】
2013006308.tif 000005
【図４】
2013006308.tif 000006
【図５】
2013006308.tif 000007
【図６】
2013006308.tif 000008
【図７】
2013006308.tif 000009
【図８】
2013006308.tif 000010
【図９】
2013006308.tif 000011